(57)【要約】      （修正有）【課題】難しいとされるヘッドスピードの向上と振り遅れ防止の二つの問題を、簡単に解決できるように、ヘッド重量を大幅に軽量化し、クラブ長さは長くせず、従来通りの長さに設定したゴルフクラブフルセットを提供する。【解決手段】ヘッド重量を番手別に従来のものより大幅に軽量化し形成して、シャフト長さは従来通りで、端にグリップを設けることにより、ヘッドスピードを向上させて振り遅れを防止することを特徴とするゴルフクラブフルセット。【選択図】図１
2017217437.tif 000002
【特許請求の範囲】
【請求項１】
ヘッド重量を番手別に従来のものより大幅に軽量化し形成して、シャフト長さは従来通りで、端にグリップを設けることにより、ヘッドスピードを向上させて、振り遅れを防止することを特徴とするゴルフクラブフルセット。
【請求項２】
ウッド郡はヘッド重量が従来のものより、１０〜１５ｇ前後軽量化する。Ｗ＃１（１）は従来のヘッド重量（１９５ｇ）を１８０ｇ前後に軽量化して、クラブ長さはこれまでの４５〜４６ｉｎｃｈに設定、Ｗ＃３はヘッド重量（２１０ｇ）を１９８ｇ前後にして、クラブ長さはこれまでの４３．０ｉｎｃｈに設定、Ｗ＃５はヘッド重量（２１５ｇ）を２０３ｇ前後にして、クラブ長さはこれまでの４２．５ｉｎｃｈに設定、Ｗ＃７はヘッド重量（２２０ｇ）を２０７ｇ前後にして、クラブ長さはこれまでの４２．０ｉｎｃｈに設定、Ｗ＃９はヘッド重量（２２５ｇ）を２１１ｇ前後として、クラブ長さは従来の４１．５ｉｎｃｈに設定して、形成して端にグリップを設け、クラブバランスを大幅に手元重心化（４）させることで、ヘッドスピードを向上させ、振り遅れ防止しを特徴するウッドセット（図１）。
【請求項３】
アイアン郡はヘッド重量が従来のものより、２８ｇ前後軽量化する。Ｉ＃３の従来のヘッド重量が（２４３ｇ）を２１５ｇ前後と軽量化して、クラブ長さはこれまでの３８．５ｉｎｃｈに設定し、Ｉ＃４はヘッド重量（２５０ｇ）を２２２ｇ前後にして、クラブ長さは３８．０ｉｎｃｈに設定し、Ｉ＃５（５）はヘッド重量（２５７ｇ）を２２９ｇ前後にし、クラブ長さはこれまでの３７．５ｉｎｃｈに設定し、Ｉ＃６はヘッド重量（２６４ｇ）を２３６ｇ前後にし、クラブ長さはこれまでの３７．０ｉｎｃｈに設定し、Ｉ＃７はヘッド重量（２７１ｇ）を２４３ｇ前後にし、クラブ長さはこれまでの３６．５ｉｎｃｈに設定し、Ｉ＃８はヘッド重量（２７８ｇ）を２５０ｇ前後にし、クラブ長さこれまでの３６．０ｉｎｃｈに設定し、Ｉ＃９はヘッド重量（２８５ｇ）を２５７ｇ前後にして、クラブ長さはこれまでの３５．５ｉｎｃｈに設定する。
ＰＷはヘッド重量（２９４ｇ）を２６４ｇ前後にし、クラブ長さはこれまでの３５．０ｉｎｃｈに設定し、ＡＷはヘッド重量（２９７ｇ）を２７０ｇ前後にし、クラブ長さはこれまでの３５．０ｉｎｃｈに設定し、ＳＷはヘッド重量（３００ｇ）を２７９ｇ前後にして、クラブ長さは従来の３５．０ｉｎｃｈに設定し、形成して、端にグリップを装着して、クラブバランスを大幅に手元重心化させて、ヘッドスピードを向上させ、振り遅れ防止し、ミート率アップを特徴するアイアンセット。（図１）
【請求項４】
ゴルフクラブフルセットの内容はウッド郡Ｗ＃１、Ｗ＃３、Ｗ＃５、Ｗ＃７、Ｗ＃９の５本とアイアン郡Ｉ＃３〜Ｉ＃９、ＰＷ、ＡＷ、ＳＷの合計１５本を表す。（図３）
【発明の詳細な説明】
【発明の詳細な説明】
【技術分野】
【０００１】本発明は、難しいとされるヘッドスピードの向上と振り遅れ防止の二つの問題を簡単に解消できるように、ヘッド重量を大幅に軽量化し、クラブ長さは長くせず、従来通りの長さに設定したゴルフクラブフルセットに関するものである。
【背景技術】
【０００２】従来のゴルフクラブはヘッド構造やシャフト性能を重視する傾向が強く、個々のパーツをそれぞれ開発することに重点をおいていた。また、先行技術として、ゴルファーがクラブを振り下ろす際に、クラブ番手が小さいクラブ側のクラブ重心位置をゴルファーの体の回転に近つけることができる。そのため体をスムーズに回転させながらスイングすることができるため、スイングスピードが増大し初級ゴルファーが飛距離を延ばすことができる。（特許文献１）しかしヘッド重量の軽量化には至らなかった。
【特許文献１】特開２０００−１３５３００
【発明の開示】
【発明が解決しようとする課題】
【０００３】（イ）個々のゴルファーはスイングに個性があるため、適合不適合が生じた。
（ロ）ヘッド重量を軽量化して、その分シャフトを従来のものより長くすることで、ヘッドスピードアップを図り、飛距離アップを目指すが、ミート率が低下して、飛距離と方向性に大きなばらつきが生じ、ミスショットの確立が多くなった。
本発明は以上のような問題点を解決するためになされたものである。
【課題を解決する手段】
【０００４】ヘッド重量を番手別に従来のものよりウッド郡は１０ｇ〜１５ｇ前後軽量化し、アイアン郡は２８ｇ前後軽量化することで、無駄な重量をすべて削ぎ落とし、形成して、シャフトの長さはそれぞれ変えず従来通りとし、端にグリップを装着したことを特徴とするゴルフクラブフルセットである。
【発明の効果】
【０００５】１  ヘッドの走る感覚と抜けの良さが体感できる。
２  先端のヘッドが大幅に軽量化されるので、ヘッドコントロールが容易になり、スィートスポットに当たる確立が向上する。
３  先端のヘッドが大幅に軽量化するので、シャフトに負担が掛らない。その分、ワンランク軟らかいものを選択でき、そのしなりを利用して飛距離アップが期待できる。
４  シャフトの長さを変えず長尺にしないので、飛ばそうと力みや違和感なくアドレスでき、ナイスショットの確立が向上する。
５  ヘッド重量を大幅に軽量化するので、クラブ重心（４）が手元へ移動させられ、身体の負担が軽減し、怪我のリスクの低下と、体力の温存に役立つ。またスイングのバランスが良くなり、ナイスショットに繋がる。
６  年齢、性別、体格に合わせたクラブフィッティングが可能となり、バリエーションが広がる。
７  一打の負担が軽減されれば、良いスコアーで回る確立は一段とアップする。
【発明を実施するための最良の形態】
【０００６】以下、本発明の実施の形態についての説明をする。
（イ）従来のＷ＃１の重量は１９５ｇ前後を１８０ｇ前後に軽量化したヘッド（１）にシャフトは従来と同じ長さのもの（２）を設け、シャフト（２）の端にグリップ（３）を装着する。
（ロ）アイアンヘッド重量はＩ＃５で２５７ｇ前後を２２９ｇ前後に軽量化したヘッド（５）に、シャフトは従来と同じ長さのもの（６）を設け、シャフト（６）の端にグリップ（３）を装着する。
（ハ）他の番手も同様にウッド郡は１０〜１５ｇ前後、アイアン郡は２８ｇ前後共にヘッドを軽量化し形成して、シャフトの長さは変えず従来通りの長さにすることで、クラブバランスを大幅に手元重心化（４）させて、シャフトの端にグリップをそれぞれ装着する。
本発明は、以上のような構造で、従来のゴルフクラブと比べ、クラブ重心が手元側に移動する手元重心化（４）により、振り遅れを防止しながらヘッドスピードアップにも貢献できる。したがってドライバーからサンドウェッジまで、ヘッドの振り抜けの良さとヘッドの走りを体感できる。ドライバーはスイング音が大きくなり、以前より高弾道に、アイアンは今まで使えなかった番手が打てるようになり、ウェッジは、スピンの効いた良く止まるボールを打つことができる。
【図面の簡単な説明】
【０００７】
【図１】従来と本発明のクラブヘッド重量の差とバランスポイントの差を示す図である。
【図２】本発明のＷ＃１とＩ＃５のクラブ重心を示した斜視図である。
【図３】本発明クラブのフルセットを示す図である。
【符号の説明】
【０００８】１  ヘッド
２  シャフト
３  グリップ
４  クラブ重心
５  ヘッド
６  シャフト
７  ヘッド
８  シャフト
【図１】
2017217437.tif 000003
【図２】
2017217437.tif 000004
【図３】
2017217437.tif 000005